(57)【要約】  生理的信号を表示する患者監視装置は、生理的状態間での生理的信号の遷移を示す中間部を有している視覚的要素を含むことができる。視覚的要素は、中間部から第１の方向へ延びる第１の末端部と、中間部から第２の方向へ延びる第２の末端部とをさらに含むことができる。視覚的要素は、中間部と第１の末端部および第２の末端部とに関する値を指定するためにアクション可能な値インジケータをさらに含むことができる。患者監視装置は、生理的信号の変化に応じて第１の方向および第２の方向の両方に値インジケータを作動させるプロセッサをさらに含むことができる。
2013508030.tif 000002
【特許請求の範囲】
【請求項１】
プロセッサによって、
患者につながれた生理的センサから取得された生理的情報を反映する生理的パラメータの値を患者監視装置のディスプレイに提供することと、
前記生理的パラメータの値の鮮度を計算することと、
前記計算された鮮度に少なくとも部分的に基づいて前記パラメータの値と関連付けられた出力を調整することと、
を含む、生理的情報を表示する方法。
【請求項２】
前記生理的パラメータの値の鮮度を計算することは、前記生理的パラメータの有効値が取得されたときから経過した期間を決定することを含む、請求項１に記載の方法。
【請求項３】
前記鮮度を計算することは、前記鮮度と関連付けられたカウンタを調整することを含む、請求項２に記載の方法。
【請求項４】
前記カウンタが所定の値に達するまで、前記パラメータの値と関連付けられた出力を凍結することをさらに含む、請求項３に記載の方法。
【請求項５】
前記生理的パラメータの有効測定量が取得されるのに応答して前記パラメータの値と関連付けられた出力の凍結を解除することをさらに含む、請求項４に記載の方法。
【請求項６】
前記出力は、前記生理的センサから取得された前記生理的信号と関連付けられた信号品質インジケータを含む、請求項１から５のいずれかに記載の方法。
【請求項７】
前記出力を調整することは、前記信号品質インジケータの削減された値を前記ディスプレイに出力することを含む、請求項７に記載の方法。
【請求項８】
前記計算された鮮度の減少に応答して前記信号品質インジケータの値を削減することをさらに含む、請求項８に記載の方法。
【請求項９】
前記信号品質インジケータの減少の量が前記計算された鮮度の減少の量に対応する、請求項９に記載の方法。
【請求項１０】
プロセッサによって、
患者につながれた生理的センサから取得された生理的情報を反映する生理的パラメータの値を患者監視装置のディスプレイへ出力することと、
前記生理的センサから取得された前記生理的情報の品質を反映する信号品質インジケータを出力することと、
前記生理的パラメータの値が有効であるかどうかを決定することと、
前記決定に応答して前記信号品質インジケータを調整することと、
を含む、生理的情報を表示する方法。
【請求項１１】
前記信号品質インジケータを調整することは、信号品質インジケータを閃光することを含む、請求項１０に記載の方法。
【請求項１２】
前記信号品質インジケータを調整することは、前記信号品質インジケータの値を削減することを含む、請求項１０または１１に記載の方法。
【請求項１３】
前記信号品質インジケータを調整することは、前記生理的パラメータの値が有効測定量を反映したときから経過した期間に応答した量で前記信号品質インジケータの値を削減することを含む、請求項１０から１２のうちのいずれかに記載の方法。
【請求項１４】
前記生理的パラメータの値に所定の鮮度期間経過に応答して最小値を設定することをさらに含む、請求項１０から１３のうちのいずれかに記載の方法。
【請求項１５】
臨床医が前記所定の鮮度期間を調整するために前記患者監視装置のディスプレイに機能性を提供することをさらに含む、請求項１４に記載の方法。
【請求項１６】
プロセッサによって、
患者につながれた生理的センサから取得された生理的情報を反映する生理的パラメータの値を患者監視装置のディスプレイへ提供することと、
前記生理的パラメータの値が有効であるかどうかを決定することと、
前記生理的パラメータの値と関連付けられた出力を凍結することと、
前記凍結に応答して、前記生理的パラメータの値の鮮度を計算することと、
前記計算された鮮度に少なくとも部分的に基づいて前記パラメータの値と関連付けられた前記出力を調整することと、
を含む、生理的情報を表示する方法。
【請求項１７】
前記出力は、前記生理的パラメータの値を含む、請求項１６に記載の方法。
【請求項１８】
前記生理的パラメータは、呼吸パラメータを含む、請求項１６または１７に記載の方法。
【請求項１９】
前記生理的パラメータは、呼吸数を含む、請求項１８に記載の方法。
【請求項２０】
前記出力は、双方向値インジケータによって表現されている、請求項１６から１９のうちのいずれかに記載の方法。
【請求項２１】
生理的信号を検出するために作動している患者センサにつなぐように構成されている生理的監視装置に生理的情報を表示する方法であって、
プロセッサによって、
値インジケータを患者監視装置のディスプレイに出力することと、
前記生理的信号から測定されたパラメータの増加する値に応答して同時に二方向に前記値インジケータを拡大することと、
前記測定されたパラメータの減少する値に応答して同時に前記二方向と反対向きに値インジケータを縮小することと、
を含む方法。
【請求項２２】
前記生理的信号は、音響信号を含む、請求項２１に記載の方法。
【請求項２３】
生理的パラメータは、呼吸数であるか、または、前記生理的パラメータは、信号品質である、請求項２２に記載の方法。
【請求項２４】
前記拡大および前記縮小は、呼気サイクル中に実行され、場合によっては、前記拡大および前記縮小は、吸気サイクル中にさらに繰り返される、請求項２２または２３のうちのいずれかに記載の方法。
【請求項２５】
前記値インジケータを拡大することは、実質的に互いに反対向きである第１および第２の方向に前記値インジケータを拡大することを含む、請求項２１から２４のうちのいずれかに記載の方法。
【請求項２６】
前記値インジケータは、双方向棒グラフを含む、請求項２１から２５のうちのいずれかに記載の方法。
【請求項２７】
所定の期間に亘って前記測定されたパラメータによって達成された最大値のインジケータを表示することをさらに含む、請求項２１から２６のうちのいずれかに記載の方法。
【請求項２８】
前記拡大および前記縮小は、プロセッサによって実行される、請求項２１から２７のうちのいずれかに記載の方法。
【請求項２９】
患者につながれたセンサから患者の生理的パラメータを反映する生理的信号を受信することと、
前記生理的パラメータの変化に応答して、視覚的要素の中央領域から第１の端領域および第２の端領域の両方へ向かって外向きに、次に、前記第１の端領域および前記第２の端領域から前記中央領域へ向かって内向きに視覚的インジケータを点灯するために前記視覚的要素の前記視覚的インジケータをアクティブ状態にすることと、
を含む、生理的情報を生理的監視装置に表示する方法。
【請求項３０】
前記第１および第２の端領域は、前記視覚的要素の両側の端を含み、前記中央領域は、前記第１の端領域と前記第２の端領域との間に位置している、請求項２９に記載の方法。
【請求項３１】
前記視覚的インジケータは、ＬＥＤを含む、請求項２９または３０に記載の方法。
【請求項３２】
前記視覚的要素は、棒グラフを含む、請求項２９から３１のうちのいずれかに記載の方法。
【請求項３３】
前記生理的パラメータは、呼吸数パラメータである、請求項２９から３１のうちのいずれかに記載の方法。
【請求項３４】
患者とつながれた１台以上のセンサから生理的情報を受信するように構成されているプロセッサと、
前記生理的情報に応答して生理的パラメータの値を表現する視覚的要素を含むディスプレイと、
を含み、前記視覚的要素は、
初期位置を表現する中間部と、
前記中間部から第１の方向へ延びる第１の末端部および前記中間部から第２の方向へ延びる第２の末端部と、
初期位置から開始し、そして、前記生理的パラメータの変化に応答して、前記第１の末端部および前記第２の末端部の両方へ拡大し、次に、前記中間部へ向かって少なくとも部分的に縮小して点灯するように構成されている値インジケータと、
を含む、生理的監視装置。
【請求項３５】
前記第１および第２の方向は、実質的に反対向きの方向を含む、請求項３４に記載の生理的監視装置。
【請求項３６】
前記生理的信号は、音響信号を含む、請求項３４または３５に記載の生理的監視装置。
【請求項３７】
前記プロセッサは、前記第１および第２の方向の両方へ同時に前記値インジケータを作動させるようにさらに構成されている、請求項３４から３６のうちのいずれかに記載の生理的監視装置。
【請求項３８】
前記プロセッサは、実質的に等しい量で前記第１および第２の方向の両方へ前記値インジケータを作動させるようにさらに構成されている、請求項３４から３７のうちのいずれかに記載の生理的監視装置。
【請求項３９】
前記視覚的要素は、棒グラフを含む、請求項３４から３８のうちのいずれかに記載の生理的監視装置。
【請求項４０】
前記視覚的要素は、セグメント型ディスプレイを含む、請求項３４から３９のうちのいずれかに記載の生理的監視装置。
【請求項４１】
前記生理的信号の変化に応答して変化する音を出力するために音生成装置をさらに含む、請求項３４から４０のうちのいずれかに記載の生理的監視装置。
【発明の詳細な説明】
【関連出願】
【０００１】
本願は、２００９年１０月１５日付けで出願された"Displaying Physiological Information"と題する米国仮特許出願第61/252,083号と、２０１０年５月４日付けで出願された"Acoustic Respiration Display"と題する米国仮特許出願第61/331,087号とからの優先権を主張し、これらの両方の米国仮特許出願の開示内容は、参照によって全体として本明細書に組み込まれる。
【０００２】
本願は、開示内容が参照によって本明細書に全体として組み込まれる以下の米国特許出願にさらに関する。
出願番号                出願日              名称                  代理人書類番号
第６０／８９３８５３号  ２００７年３月８日  マルチパラメータ生理的監視装置  ＭＣＡＮ．０１４ＰＲ
第６０／８９３８５０号  ２００７年３月８日  情報要素付きの下位互換性生理的センサ  ＭＣＡＮ．０１５ＰＲ
第６０／８９３８５８号  ２００７年３月８日  生理的監視用マルチパラメータセンサ  ＭＣＡＮ．０１６ＰＲ
第６０／８９３８５６号  ２００７年３月８日  高速利得調整データ獲得付きの生理的監視装置  ＭＣＡＮ．０１７ＰＲ
第１２／０４４８８３号  ２００８年３月８日  音響監視装置を使用して生理的条件を決定するシステム及び方法  ＭＣＡＮ．０１４Ａ
第６１／１４１５８４号  ２００８年１２月３０日  音響センサアセンブリ  ＭＣＡＮ．０３０ＰＲ
第６１／２５２０７６号  ２００９年１０月１５日  音響センサアセンブリ  ＭＣＡＮ．０３０ＰＲ２
第１２／６４３９３９号  ２００９年１２月２１日  音響センサアセンブリ  ＭＣＡＮ．０３０Ａ
第６１／３１３６４５号  ２０１０年３月１２日  複数のセンシング要素を有する音響呼吸監視センサ  ＭＣＡＮ．０３３ＰＲ２
＃＃／＃＃＃＃＃＃  ２０１０年１０月１４日  複数のセンシング要素を有する音響呼吸監視センサ  ＭＣＡＮ．０３３Ａ
＃＃／＃＃＃＃＃＃  ２０１０年１０月１４日  複数のセンシング要素を有する音響呼吸監視センサ  ＭＣＡＮ．０３３Ａ２
＃＃／＃＃＃＃＃＃  ２０１０年１０月１４日  複数のセンシング要素を有する音響呼吸監視センサ  ＭＣＡＮ．０３３Ａ３
＃＃／＃＃＃＃＃＃  ２０１０年１０月１４日  音響患者センサ  ＭＣＡＮ．０３３Ａ４
第６１／２５２０９９号  ２００９年１０月１４日  音響呼吸監視システム及び方法  ＭＣＡＮ．０３４ＰＲ
＃＃／＃＃＃＃＃＃  ２０１０年１０月１４日  音響呼吸監視システム及び方法  ＭＣＡＮ．０３４Ａ
第６１／２５２０６２号  ２００９年１０月１５日  低雑音ケーブルハブ付きのパルス・オキシメトリ・システム  ＭＣＡＮ．０３５ＰＲ
第６１／２６５７３０号  ２００９年１２月１日  音響センサ付きのパルス・オキシメトリ・システム  ＭＣＡＮ．０３５ＰＲ３
＃＃／＃＃＃＃＃＃  ２０１０年１０月１４日  低雑音ケーブルハブ付きのパルス・オキシメトリ・システム  ＭＣＡＮ．０３５Ａ
＃＃／＃＃＃＃＃＃  ２０１０年１０月１４日  生理的音響監視システム  ＭＣＡＮ．０４６Ａ
第６１／３９１０９８号  ２０１０年１０月８日  音響監視装置  ＭＣＡＮ−Ｐ００１
【０００３】
本明細書に記載された実施形態の多くは、前述の関連出願に記載された実施形態と両立し得る。さらに、本明細書に記載された特徴の一部又は全部は、前述の出願に記載された特徴の多くと共に使用できるか、又は、そうでなければ、組み合わせることができる。
【背景技術】
【０００４】
患者の呼吸活動の監視は、死又は脳損傷が数分間の呼吸不全のうちに起こる可能性があるので、臨床的状況において望ましい。呼吸不全は、予測することが難しいので、呼吸活動の連続監視は、危険性の高い状況で特に有益である。適切な監視機器は、救命をもたらす。さらに、呼吸監視機器は、運動負荷試験及び様々な形式の心臓検査を含む非重症治療のためにも役立つ可能性がある。
【０００５】
患者の呼吸活動は、音響呼吸監視装置によって監視することができる。音響呼吸監視装置は、分析のため患者から音響呼吸情報を取得するために患者の身体に置くことができる１台以上の音響センサを含むことができる。一部の事例では、音響センサが咽頭付近の頚切痕や側頸部、又は患者の別の場所で聴くことができる気管音を検出するために置かれることがある。
【発明の概要】
【０００６】
ある特定の実施形態では、生理的信号を表示する患者監視装置は、生理的状態間での生理的信号の遷移を示す中間部を有している視覚的要素を含む。視覚的要素は、中間部から第１の方向へ延びる第１の末端部と、中間部から第２の方向へ延びる第２の末端部とをさらに含むことができる。視覚的要素は、中間部と第１の末端部及び第２の末端部とに関する値を指定するためにアクション可能な値インジケータをさらに含むことができる。患者監視装置は、生理的信号の変化に応じて第１の方向及び第２の方向の両方に値インジケータを作動させるプロセッサをさらに含むことができる。
【０００７】
ある特定の実施形態では、プロセッサによって実施される生理的情報を表示する方法は、患者につながれた生理的センサから取得された生理的情報を反映する生理的パラメータの値を患者監視装置のディスプレイに提供することを含む。この方法は、生理的パラメータの値の鮮度を計算することと、計算された鮮度に少なくとも部分的に基づいてパラメータ値と関連付けられた出力を調整することとをさらに含むことができる。
【０００８】
ある特定の実施形態では、プロセッサによって実施される生理的情報を表示する方法は、患者につながれた生理的センサから取得された生理的情報を反映する生理的パラメータの値を患者監視装置のディスプレイへ出力することを含む。この方法は、生理的センサから取得された生理的情報の品質を反映する信号品質インジケータを出力することと、生理的パラメータの値が有効であるかどうかを決定することと、上記決定に応答して信号品質インジケータを調整することとをさらに含むことができる。
【０００９】
ある特定の実施形態では、プロセッサによって実施される生理的情報を表示する方法は、患者につながれた生理的センサから取得された生理的情報を反映する生理的パラメータを患者監視装置のディスプレイへ提供することを含むことができる。この方法は、生理的パラメータの値が有効であるかどうかを決定することと、生理的パラメータの値と関連付けられた出力を凍結することと、上記凍結に応答して、生理的パラメータの値の鮮度を計算することと、計算された鮮度に少なくとも部分的に基づいてパラメータ値と関連付けられた出力を調整することとをさらに含むことができる。
【００１０】
さらに、一部の実施形態では、生理的信号を検出できる患者センサにつなぐことができる生理的監視装置に生理的情報を表示する方法が提供される。プロセッサによって実施されるこの方法は、値インジケータを患者監視装置のディスプレイに出力することと、生理的信号から測定されたパラメータの増加する値に応答して同時に二方向に値インジケータを拡大することと、測定されたパラメータの減少する値に応答して同時に二方向と反対向きに値インジケータを縮小することとを含むことができる。
【００１１】
ある特定の実施形態では、プロセッサによって実施される生理的監視装置に生理的情報を表示する方法は、患者につながれたセンサから患者の生理的パラメータを反映する生理的信号を受信することを含むことができる。この方法は、生理的パラメータの変化に応答して、視覚的要素の中央領域から第１の端領域及び第２の端領域の両方へ向かって外向きに、次に、第１の端領域及び第２の端領域から中央領域へ向かって内向きに視覚的インジケータを点灯するために視覚的要素の視覚的インジケータをアクティブ状態にすることをさらに含むことができる。
【００１２】
生理的監視装置は、ある特定の実施形態では、患者とつながれた１台以上のセンサから生理的情報を受信することができるプロセッサと、生理的情報に応答して生理的パラメータの値を表現する視覚的要素を有しているディスプレイとを含むことができる。視覚的要素は、初期位置を表現する中間部と、中間部から第１の方向へ延びる第１の末端部及び中間部から第２の方向へ延びる第２の末端部と、初期位置から開始し、そして、生理的パラメータの変化に応答して、第１の末端部及び第２の末端部の両方へ拡大し、次に、中間部へ向かって少なくとも部分的に縮小して点灯することができる値インジケータとを含むことができる。
【００１３】
開示内容を要約する目的のため、発明のある特定の態様、利点、及び、新規性のある特徴が本明細書に記載される。必ずしもすべての利点が本明細書に開示された発明の特別な実施形態により達成できるとは限らないことが理解されるべきである。したがって、本明細書に開示された発明は、本明細書に教示又は示唆できるような他の利点を必ずしも達成することなく、本明細書に教示されたような１つの利点、又は、一群の利点を達成又は最適化する方法で具現化又は実行することが可能である。
【図面の簡単な説明】
【００１４】
図面を通じて、符号は、参照された要素間の対応関係を示すために再利用することができる。図面は、本明細書に記載された発明の実施形態を例示することを目的として、発明の範囲を限定することを目的とするものではない。
【図１】生理的情報（例えば、呼吸関連情報）を獲得し、処理し、表示する患者監視システムの実施形態を示した図である。
【図２】生理的信号（例えば、呼吸信号）を表示するために図１のシステムと共に用いられる視覚的要素の実施形態の概略図である。
【図３】生理的信号（例えば、呼吸信号）を表示するために図１のシステムと共に用いられる視覚的要素の実施形態の概略図である。
【図４Ａ】生理的信号（例えば、呼吸信号）が変動している様々な時点で示された図２の視覚的要素の一連の表示の実施形態を示した図である。
【図４Ｂ】図４Ａの例図をさらに説明するフローチャートの実施形態を示した図である。
【図５Ａ】生理的信号（例えば、呼吸信号）が変動している様々な時点で示された図２の視覚的要素の一連の表示の実施形態を示した図である。
【図５Ｂ】図５Ａの例図をさらに説明するフローチャートの実施形態を示した図である。
【図６】複数の時点に生理的信号（例えば、呼吸信号）と関連付けられた複数の値を同時に表示する能力をもつ視覚的要素の略図の実施形態を示した図である。
【図７Ａ】ピークインジケータを含み、生理的信号（例えば、呼吸信号）を表示する視覚的要素の略図の実施形態を示した図である。
【図７Ｂ】図７Ａの例図をさらに説明するフローチャートの実施形態を示した図である。
【図８Ａ】ゴールインジケータを含み、生理的信号（例えば、呼吸信号）を表示する視覚的要素の略図の実施形態を示した図である。
【図８Ｂ】図８Ａの略図をさらに説明するフローチャートの実施形態を示した図である。
【図９】複数の型式のインジケータを含み、生理的信号（例えば、呼吸信号）を表示する視覚的要素の略図の実施形態を示した図である。
【図１０】センサアセンブリ及びケーブルの実施形態を例示する上方斜視図の実施形態を示す図である。
【図１１】呼吸分析システムの実施形態を示した図である。
【図１２】呼吸ディスプレイを有している生理的監視装置の実施形態を示した図である。
【発明を実施するための形態】
【００１５】
生理的信号（例えば、呼吸信号）に関する情報を観測者に視覚的に伝えるシステム及び方法が本明細書に記載される。一実施形態では、生理的監視システムは、患者からの生理的信号を検出するために１台以上のセンサを含む。例えば、生理的信号は、患者の近くで音響センサによって検出された呼吸信号の音響表現になり得る。生理的監視システムは、生理的信号に関する情報を観測者に伝えるディスプレイと、生理的信号を処理し、ディスプレイを制御するプロセッサとを含むこともできる。
【００１６】
一部の実施形態では、ディスプレイは、生理的信号と関連付けられた値を観測者へ視覚的に伝える値インジケータ付きの視覚的要素を含む。値インジケータは、初期位置を有することが可能であり、第１の生理的状態中に視覚的要素の第１の部分において拡大又は縮小することができる。第１の生理的状態は、例えば、患者吸気（又は吸息）に対応することができる。値インジケータは、例えば、患者呼気（又は呼息）に対応することができる第２の生理的状態中に、視覚的要素の第２の部分に拡大又は縮小することができる。他の実施形態では、値インジケータは、患者吸気及び呼気のような第１の生理的状態と第２の生理的状態との間の遷移を表している基準位置から少なくとも２つの方向へ同時に拡大する。
【００１７】
［双方向ディスプレイ］
図１は、患者１００の呼吸活動を監視する呼吸監視システム１０５を例示する。呼吸監視システム１０５は、センサ１２０に通信的に連結されている呼吸監視装置１１０を含む。センサ１２０は、呼吸音を検出するために患者の身体に置かれている。一実施形態では、センサ１２０は、患者の身体の音波振動を電気信号に変換するために圧電結晶トランスデューサを含む。他の型式のセンサが同様に使用できる。結果として得られる電気的呼吸信号は、電気リード線１３０を介して、無線伝送によって、又は、他の適切な方法によって呼吸監視装置１１０へ転送され得る。本明細書に記載されたいずれの実施形態と共に使用するのにも適合している様々なセンサ及び監視装置が以下の出願及び発行済み特許：２００７年３月８日付けで出願された米国仮出願第60/893,853号と、２００７年３月８日付けで出願された米国仮出願第60/893,850号と、２００７年３月８日付けで出願された米国仮出願第60/893,858号と、２００７年３月８日付けで出願された米国仮出願第60/893,856号と、２００６年１０月６日付けで出願された米国出願第11/547,570号と、２００９年１２月２１日に出願された米国出願第12/643,939号と、米国出願第6,661,161号とに記載されている（図１０も参照）。これらの文献の１つずつは、参照によって全体として本明細書に組み込まれる。
【００１８】
呼吸監視装置１１０は、呼吸信号をデジタル形式に変換する回路と、呼吸信号を分析するプロセッサ（図示せず）とを含むことができる。例えば、呼吸信号は、当該信号に含まれる周波数を決定又は分析するために、フーリエ変換又は他の数学的変換を用いて処理又は分析され得る。この信号は、さらに、プロセッサの使用により、時間平均化、フィルタ処理、増幅、又はそれ以外に、条件付け若しくは分析され得る。例えば、プロセッサは、患者の吸気時間と、呼気時間と、吸気呼気比と、吸気流と、呼気流と、１回換気量と、分時拍出量と、無呼吸期間と、ラ音、水泡音若しくは喘鳴を含む呼吸音と、呼吸音の変化などを決定するために構成され得る。獲得された信号がアナログ形式かデジタル形式か、条件付けられているか、変換されているか、又は分析若しくは改変されているかといったこととは無関係に、獲得された信号を一般に、本開示の全体を通じて、呼吸信号又は音響信号と呼ぶことができる。
【００１９】
呼吸信号がセンサ１２０によって獲得され、呼吸監視装置１１０へ転送されると、信号又は信号の態様は、呼吸監視装置ディスプレイ１４０の視覚的要素１５０によって観測者へ伝えることができる。図２から図９は、視覚的要素１５０の様々な実施形態を例示する。ある特定の実施形態は、主として呼吸信号の表示との関連で記載することができるが、同じ原理は、心拍、血圧、血液酸素飽和度などのような他の型式の生理的信号を表示するためにも適用できる。
【００２０】
図２は、ユーザに生理的信号のある特定の態様を伝えるために患者監視装置に表示することができる視覚的要素２５０、この場合には棒グラフを例示する。一部の実施形態では、視覚的要素２５０は、カラー又はモノクロセグメント型ＬＥＤ、ＬＣＤ、及び／又はビットマップ型ディスプレイである。他の型式のディスプレイが同様に可能であり、同様にうまく使用できる。棒グラフ２５０は、複数のセグメント２５８、又は他の型式の区画を含むことができる。ある特定の実施形態では、個々のセグメント２５８は、暗状態のような非アクティブ状態と、輝度が変化する１つ以上の点灯状態のようなアクティブ状態とを有し、逆もまた同様である。ある特定の実施形態では、点灯状態は１つ以上の色を含む。セグメント２５８は、生理的信号に関する情報をユーザへ伝達するために、暗状態と点灯状態との間、又は色と色との間で遷移することができる。
【００２１】
１つ以上のセグメント２５８は、棒グラフ２５０の中間部２５２を構築できる。他のセグメント２５８の集団は、棒グラフ２５０の第１の末端部２５４（例えば、上側末端部）と第２の末端部２５６（例えば、下側末端部）とを構築できる。一部の実施形態では、棒グラフ２５０の上側末端部２５４及び下側末端部２５６は、個々に、獲得された生理的信号の値、又は獲得された生理的信号から導出されたある特性のうち、中間部２５２より比較的大きい方の大きさを示す。しかし、他の実施形態では、末端部のうちの一方は、もう一方より小さい値を表すことがあり、中間部は、末端部によって表現された大きい方の大きさと小さい方の大きさとの間の大きさを表現することができる。
【００２２】
一部の実施形態では、棒グラフ２５０は校正されている。例えば、棒グラフ２５０は、生理的信号のエネルギーの単位で、又は呼吸信号の場合には呼吸気量の単位で校正することができる。他の校正単位も同様に可能である。一部の実施形態では、校正目盛が生理的信号の強度に関する定量的な情報を観測者へ伝えるために棒グラフ２５０に、又は棒グラフの付近に明示的に示される。ある特定の実施形態では、棒グラフ２５０の校正目盛は、生理的信号中に存在する値の範囲に応じて、手動的又は自動的に再構成可能である。例えば、比較的浅い呼吸の患者の呼吸信号の場合、校正目盛のダイナミックレンジは、信号が棒グラフ２５０のより大きい部分に広がるように、減少させることができる。患者が非常に深い呼吸をしている場合、校正目盛のダイナミックレンジは、呼吸信号の視覚的な描写のクリッピングを回避するために増加させることができる。
【００２３】
棒グラフ２６０は、生理的信号が変化するとき、例えば、棒グラフセグメント２５８を暗状態と点灯状態との間で遷移させることにより、正しい時点に作動する値インジケータ２６０をさらに含むことができる。一部の実施形態では、値インジケータ２６０は、視覚的要素２５０の１つ以上のセグメント２５８の集団であり、セグメントの個数は、値インジケータ２６０が作動すると共に変化する。値インジケータ２６０は、獲得された生理的信号のどんな特性でも示すことができ、棒グラフ２５０に沿ってどこでも作動することができる。例えば、値インジケータ２６０は、ある時点での生理的波形の振幅、指定された期間に亘る生理的信号の中の選択された周波数範囲での振幅、又はある時点での生理的信号の強度を表現できる。
【００２４】
生理的信号の他の特性は、値インジケータ２６０によって同様に表現できる。例えば、呼吸信号の場合、値インジケータ２６０は、音響センサ１２０によって捕捉された呼吸音の音響容積の指標を表現できる。一部の実施形態では、患者の呼吸音の音響容積の指標は、センサ１２０によって検出された音波形の比較的低周波のエンベロープの振幅に関係する。値インジケータ２６０は、患者の呼吸数、呼吸の深さ、又は呼吸信号の品質を含む呼吸信号に関連した他の型式の情報をさらに表現できる（図１１を参照）。
【００２５】
図２は、値インジケータの一実施形態を例示するが、多くの異なった型式の値インジケータが様々な実施形態で使用できることが理解されるべきである。図２に例示された値インジケータ２６０は、視覚的要素１５０が棒グラフを含む実施形態に適している値インジケータである。しかし、他の型式の値インジケータが他の型式の視覚的要素１５０により適していることがある。用語「値インジケータ」は、これの本来の意味に加えて、生理的信号に関連した振幅、周波数などを含む生理的信号と関連付けられた値をユーザにグラフ的に伝える能力をもつあらゆる型式の視覚的インジケータを指すことが意図されている。
【００２６】
ある特定の実施形態では、値インジケータ２６０は、生理的信号の選択された特性の値又は大きさの増加を示すために長さが拡大する。逆に、値インジケータは、信号の値又は大きさの減少を示すために長さに関して縮小することがある。値インジケータ２６０は、棒グラフ２５０の中間部２５２から上側末端部２５４だけに延びるものとして図１に示されているが、他の実施形態では、両方の末端部２５４、２５６へ同時に延びることがある。
【００２７】
値インジケータ２６０は、情報をユーザへ伝達する付加的な方法として作動するとき、色及び／又は閃光を変化させることができる。例えば、値インジケータ２６０は、患者による浅い呼吸に対応することがある呼吸信号の比較的小さい値又は大きさに対して赤色で表示することができる。他の実施形態では、値インジケータ２６０は、浅い呼吸を示すために暗状態と点灯状態との間で閃光する。しかし、患者の呼吸が正常レベルまで増大する場合、値インジケータ２６０は、緑色に変化するか、又は閃光を止めることがある。値インジケータ２６０の色を変化させるか、又は、値インジケータを閃光させる同様の方法は、患者の呼吸数が所定又はユーザ選択の閾値より下がる場合のように、呼吸信号の他の態様を示すために使用することができる。
【００２８】
一部の実施形態では、棒グラフの中間部２５２は、２つ以上の異なった生理的状態の間の遷移を示す。状態は、例えば、検出可能又は識別可能な生理的事象、フェーズ、又は条件とすることができる。一部の、しかし、全部ではない実施形態では、生理的状態の間の遷移は、単により大きい程度又はより小さい程度の継続する生理的事象又は条件ではなく、識別可能な生理的事象又は条件の発生又は存在を表現する。棒グラフ２６０が、獲得された患者呼吸信号の値を伝えるために使用される実施形態では、棒グラフ２５０の中間部２５２は、１つ１つが呼吸活動の識別可能なフェーズである患者の呼吸活動における吸気と呼気との間の遷移を示すことができる。換言すると、棒グラフの中間部２５２の値が注目されているとき、これは、吸気と呼気との間の患者遷移の指標である。他の実施形態では、中間部２５２は、正常値と異常値との間で生理的信号の遷移に注目する。例えば、中間部２５２は、患者の血液酸素飽和度が健康レベルと危険レベルとの間で遷移する場所に注目することができる。
【００２９】
図２に示されたおおよそ矩形形状の棒グラフに加えて、他の棒グラフ形状も同様に可能である。例えば、図３は、菱形形状の視覚的要素３５０を例示する。棒グラフ２５０とほぼ同様に、菱形形状の視覚的要素３５０、又は菱形グラフは、複数のセグメント３５８を含むことができ、１つ以上のセグメントは、中間部３５２と上側末端部３５４及び下側末端部３５６とを構築することができる。菱形グラフは、アクション可能な値インジケータ３６０をさらに含むことができる。棒グラフ２５０及び菱形グラフ３６０は、不可欠ではないが、ある程度の数の離散的なセグメント２５８、３５８を含有するものとして個々に示されることが理解されるべきである。さらに、当業者は、様々な実施形態で使用することができる本明細書に開示された視覚的要素の形状、寸法、色などに多種多様の変形を認識することができる。
【００３０】
図１の視覚的要素１５０は、本明細書に記載されているように、棒グラフでもよいが、多数の他の形状及び実施形態も同様に可能である。例えば、視覚的要素１５０は、どんなグラフィカル形状又は記号にでもすることができ、グラフィカル形状又は記号は、これの基準点の周りで少なくとも２方向に延び、拡大し、又はそうでなければ変化することができる。一実施形態では、視覚的要素１５０は、円形（図示せず）であるが、呼吸信号のような生理的信号の変化に応答してサイズが増減する他の形状を使用することも可能である。例えば、円形は、２つ以上の生理的状態の間の遷移を示す初期直径を有することがある。一実施形態では、円形の直径は、患者吸気のような第１の生理的状態の間に増加し、この直径は、患者呼気のような第２の生理的状態の間に減少する。その結果、円形の直径が初期直径より大きいとき、観測者は、患者が第１の生理的状態にあることを認めることができる。円形の直径が初期直径より小さいとき、観測者は、患者が第２の生理的状態にあることを認めることができる。多数の他の型式の視覚的要素１５０がさらに可能である。
【００３１】
図４Ａは、生理的信号（例えば、呼吸信号）が変動するときに、異なった時点に示された図２の視覚的要素の一連の描写である。図４Ａは、値インジケータ４６０が患者の呼吸信号の変化に応答して作動するときに、時点ｔ１、ｔ２、ｔ３、ｔ４及びｔ５における棒グラフ４５０の静止フレームを含む。本実施例では、値インジケータ４６０は、音響センサ１２０によって捕捉された呼吸音の音響容量を表現する。
【００３２】
図４Ｂは、図４Ａにおける例示をさらに説明するフローチャートである。ブロック４８２で、生理的監視システム（例えば、１０５）内のプロセッサ（図示せず）は、患者センサ（例えば、１２０）から生理的情報を受信する。ブロック４８４で、プロセッサは、選択時点での生理的信号の値を決定する。ブロック４８６で、プロセッサは、基準点と相対的に、同時に少なくとも２方向に値インジケータを作動させることにより、選択時点での生理的信号の値を患者監視装置（例えば、１１０）に表示させる。このプロセスは、図４Ａに示されるように、複数の選択時点の１つずつに対して繰り返し実行することができる。
【００３３】
今度は図４Ａを参照すると、時点ｔ１で、値インジケータ４６０は、患者の呼吸の音響容積が比較的小さいことを示す。これは、実質的に呼吸音が検出されない患者による吸気と呼気との間（又は、呼気と吸気との間）の瞬間に呼吸信号に起こる可能性がある。時点ｔ２で、値インジケータ４６０は、より大きい音響容積の検出を示すために拡大されている。本実施形態では、棒グラフ４５０の上側末端部及び下側末端部の両方は、棒グラフ４５０の中間部より比較的大きい呼吸信号の音響容積の大きさを表す。したがって、値インジケータは、本事例では、実質的に等しい量によって、棒グラフ４５０の上側末端部及び下側末端部の両方の方向に拡大する。時点ｔ３で、値インジケータ４６０は、両方向にさらに拡大し、比較的大きい音響的な呼吸音を示す。このような比較的大きい音響的な呼吸音は、典型的に、患者吸息又は呼息フェーズの中間部の間に検出される。時点ｔ４で、値インジケータ４６０は、やや縮小し、患者の呼吸信号の音響容積の減少を表現する。最後に、時点ｔ５で、値インジケータ４６０は、棒グラフ４５０の中間部まで縮小し、患者が１回の吸気フェーズを完了し、吸気フェーズに遷移していること、又は逆もまた同様であることを示す。
【００３４】
図４Ａに例示された実施形態では、棒グラフ４５０の中間部は、患者の呼吸活動における吸気フェーズと呼気フェーズとの間の遷移を示す。患者が吸入するとき、患者の呼吸音の音響容積が増加し、音響容積がこれのピークに到達し、そして、徐々に減少を開始し、値インジケータを棒グラフ４５０の元の中間部の方へ縮小させるような時点まで、値インジケータを棒グラフ４５０の両方の末端部の方向に拡大させる。患者は、その後、息を吐き始めることが可能になり、この時点で、患者の呼吸音の音響容積は、再び増加することが可能であり、図４に示されたサイクルがほぼ繰り返し現れることができるが、吸気フェーズ及び呼気フェーズ中に検出された最大値は、個々のフェーズを終了するために要する時間と同様に、一致しないことがある。図４に示された棒グラフ４５０の系列は、その結果、患者吸気又は呼気を表すことができる。ある特定の事例では、患者吸気を呼気と区別することが望ましいことがある。例えば、値インジケータ４６０は、吸気中に緑色で表示し、呼気中に青色で表示することができる。他の実施形態では、値インジケータ４６０は、一方の呼吸フェーズ中に点滅するが、もう一方の呼吸フェーズ中には安定した状態を保つ。本実施形態において患者吸気と呼気とを識別する他の仕組みが同様に可能である。
【００３５】
図２から図８Ａに関連して例示され、記載されているような多角的な視覚的要素は、ある特定の実施形態においていくつかの臨床的な利点をもたらす。例えば、臨床監視装置は、典型的に、患者の数多くの異なった生理的パラメータに関連する多数のデータを表示する。一部の監視装置は、血圧、心拍数、血液酸素濃度又は飽和度などのような患者の健康全般に関連するいくつかの数値を表示する。監視装置は、いくつかのグラフィカル画像、又は、波形を同様にさらに表示することが多い。このような情報は、医療提供者にとって臨床的に有用であるが、一部の事例では、生理的監視装置のディスプレイに提供される多量の情報は、混乱を引き起こす可能性がある。例えば、臨床医は、提供された多量の情報に圧倒されることがあるが、監視装置のディスプレイに素早く目を向けるときに望ましい特別な情報に気が付かないことがある。このような事例では、ある一定の型式の生理的情報に臨床医が素早く見分けることができる固有の視覚的要素を与えることが特に有用である。そうすることにより、医者は、特別な視覚的要素（例えば、図２から図８Ａに関して記載された視覚的要素）を用いて特別な生理的情報（例えば、呼吸情報）を視覚化することに慣れることが可能である。これは、医者が情報満載の視覚的ディスプレイから関心のある情報に素早く気付くことを可能にすることができる。
【００３６】
図５Ａは、生理的信号（例えば、呼吸信号）が変動するときに、異なった時点に示された図２の視覚的要素の一連の描写の別の実施例である。値インジケータ５６０は、音響センサ１２０によって検出された呼吸音の音響容量を示す。棒グラフ５５０の両方の末端部は、棒グラフの中央部よりかなり大きい呼吸信号の音響容積の大きい値を表す。しかし、本実施形態における値インジケータ５６０は、同時に棒グラフ５５０の末端部のうちの１つの領域で作動する。例えば、棒グラフ５５０の上側末端部は、生理的事象の第１のフェーズ（患者吸気フェーズに対応する呼吸信号）に対応する可能性があり、棒グラフの下側末端部は、生理的信号の第２のフェーズ（例えば、呼気フェーズ）に対応する可能性がある。その結果、値インジケータ５６０は、異なった方向に沿って、又は、異なった領域において、異なった生理的状態、フェーズ、条件、活動などを表す。
【００３７】
図５Ｂは、図５Ａにおける例示をさらに説明するフローチャートである。ブロック５８２で、生理的監視システム（例えば、生理的監視システム１０５又は本明細書に記載された他のシステム）内のプロセッサ（図示せず）は、患者センサ（例えば、患者センサ１２０又は本明細書に記載された他のセンサ）から生理的情報を受信する。ブロック５８４で、プロセッサは、選択時点での生理的信号の値を決定する。ブロック５８６で、プロセッサは、この時点での生理的信号の値によって表現されるように、選択時点での患者の生理的状態を決定する。患者が決定ブロック５８８で第１の生理的状態（例えば、吸気）にある場合、プロセッサは、生理的信号の値を視覚的要素の第１の部分に表示させる。患者が決定ブロック５９２で第２の生理的状態（たとえば、呼気）にある場合、プロセッサは、生理的信号の値を視覚的要素の第２の部分に表示させる。患者が第１の生理的状態又は第２の生理的状態のいずれかにある場合、一部の実施形態では、患者は、第１の生理的状態と第２の生理的状態との間で遷移し、生理的信号の値は、それに応じてブロック５９６で表示されると仮定することができる。このプロセスは、図５Ａに示されるように、複数の選択時点の１つずつに対して繰り返し実行することができる。
【００３８】
今度は図５Ａを参照すると、時点ｔ１で、値インジケータ５６０は、比較的小さい音響容積が検出されたことを示す。この場合も同様に、正常な呼吸活動中に、この値インジケータは、患者吸気と呼気との間の遷移に対応する。時点ｔ２で、値インジケータ５６０は、比較的大きい患者吸気音の検出を示すために棒グラフ５５０の上側末端部の領域において拡大する。時点ｔ３で、値インジケータ５６０は、吸気フェーズの終了を意味する棒グラフ５５０の元の中間部へ縮小する。時点ｔ４での値インジケータ５６０の位置は、適度に大きな呼気信号の検出に対応する。その後、時点ｔ５で、患者の呼気活動の音響容積は、患者の呼気フェーズの終了を意味する棒グラフ５５０の元の中間部へ最終的に戻ることができる前に、やや減少していることが示される。図５Ａに示されるように、吸気フェーズ及び呼気フェーズ中の患者の呼吸音の音響容積は、必ずしも同じ最大値に到達しない。さらに、２つの呼吸フェーズは、必ずしも等間隔ではない。
【００３９】
図４Ａ、図４Ｂ、図５Ａ及び図５Ｂは、値インジケータが様々な実施形態による患者の呼吸、又は、他の生理的信号の変化に応答して作動できる方法の２つの実施例を表現するに過ぎない。このようにして、患者の呼吸活動は、呼吸監視装置１１０を観察する介護人によって容易に監視されることができる。前述のように、患者の呼吸活動は、音響センサ１２０によって継続的に監視され、患者呼吸監視装置１１０へ送信することができる。呼吸監視装置１１０は、獲得された連続時間呼吸信号を標本化し、これをデジタル表現に変換するために回路を含むことができる。この演算は、連続時間呼吸信号を近似する時間サンプルの離散系列を生じる。呼吸監視装置１１０は、図４Ａ、図４Ｂ、図５Ａ及び図５Ｂに例示されるように、呼吸信号を分析し、長時間に亘る呼吸信号の変化に応じて値インジケータを作動させるためにさらにプロセッサを含むことができる。
【００４０】
一部の実施形態では、１つの呼吸データ点が連続時間信号のあらゆる時間サンプルに対して視覚的要素（例えば、視覚的要素１５０又は本明細書に記載される他の視覚的要素）によって表示される。換言すると、値インジケータ作動は、呼吸信号の個々の時間サンプルに対し１度ずつリフレッシュし、例えば、連続時間呼吸信号が毎秒６０回標本化される場合、値インジケータは、同様に毎秒６０回リフレッシュする。しかし、視覚的要素によって表示される呼吸データ点の系列は、連続時間信号から選ばれた時間サンプルの個数と異なる可能性もある。例えば、連続時間呼吸信号が毎秒６０回標本化される場合、値インジケータは、時間サンプル３個毎に１回だけリフレッシュするために構成されることがある。他の実施形態では、複数の時間サンプルが視覚的要素によって表示されたデータ点の系列の中で単一の値を形成するため結合される。例えば、値インジケータは、個々のデータ点が値インジケータの作動を滑らかにするために時間サンプルの集団の平均（例えば、移動平均）又は中央値を表現するデータ点の系列を表示するために構成することができる。時間サンプルの間を補間することによって値インジケータが連続時間呼吸信号のサンプリングレートより高いレートで作動するように構成することがさらに可能である。
【００４１】
一部の実施形態は、同時に２個以上のデータ点（例えば、値）を表示するために構成することができる。例えば、図６は、生理的信号（例えば、呼吸信号）と関連付けられた複数の値を同時に表示することのできる視覚的要素の略図である。視覚的要素６５０は、セグメント６５８のアレイを含む。視覚的要素６５０は、呼吸、又は他の生理的信号の異なる値を示す中間部６５２と、上側末端部６５４及び下側末端部６５６とをさらに含む。セグメントの５列のうちの個々の列は、視覚的要素６５０に表示されるデータ点の系列中の別個の値を表現する。例えば、セグメントの第１列は、時点ｔ１における生理的信号の値を表現することができ、第２列は、時点ｔ２における値を表現することができ、以下同様である。
【００４２】
その上、セグメント６５８の個々の列は、前述のように生理的信号の変化に応答して作動する値インジケータ６６０を含む。図６における値インジケータ６６０は、これらの端点だけが点灯され、介在セグメント６５８も同様に点灯されることはない。他の実施形態では、端点及び介在セグメント６５８は、共に点灯される。他の型式の値インジケータも可能である。個々の値インジケータ６６０は、視覚的要素６５０の中の端の列、例えば、最も右側の列に達するまで、次から次へと順番にリフレッシュするように構成することができる。この時点では、パターンは繰り返すことがあり、反対側の端の列、例えば、最も左側の列内の値インジケータがリフレッシュすることが可能である。値インジケータ６６０をリフレッシュする他のパターンもまた可能である。例えば、値インジケータ６６０は、すべて同時にリフレッシュし、次のリフレッシュ時までそれぞれの値を保持するように構成することができる。値インジケータ６５０は、複数の値を示すので、吸気又は呼気フェーズ全体を示すために構成することができる。他の実施形態では、視覚的要素６５０は、呼吸期間全体、すなわち、１回の吸気フェーズと１回の呼気フェーズとを、又は、数回の呼吸期間でさえ同時に表示するように構成することができる。
【００４３】
一部の実施形態では、視覚的要素（例えば、１５０）は、付加情報を観察者に伝えるために別個のインジケータをさらに含む。例えば、図７Ａは、生理的信号（例えば、呼吸信号）を表示するピークインジケータを含む視覚的要素の略図である。棒グラフ７５０は、中間部７５２と、上側末端部７５４と、下側末端部７５６とを含む。棒グラフ７５０は、検出された呼吸信号の変化に応答して作動するように構成することができる値インジケータ７６０をさらに含む。棒グラフ７５０は、吸気ピークインジケータ７７０を呼気ピークインジケータ７７２と共にさらに含む。ピークインジケータ７７０、７７２は、所定の期間に亘る吸気フェーズ及び呼気フェーズの間に患者の呼吸信号が到達する最大の大きさを観察者に伝えるように構成することができる。ピークインジケータ７７０、７７２は、患者の呼吸活動の履歴の表示として介護人に有益なことがあり、診断、又は患者の介護に関連した意思決定に役立つことがある。
【００４４】
一実施形態では、図７Ａのピークインジケータ７７０、７７２は、長期間に亘る患者の呼吸信号によって達成された最大値又は大きさを示すためアクティブ状態（例えば、点灯状態）に保つように構成された棒グラフ７５０の一部である。例えば、ピークインジケータ７７０、７７２は、値インジケータ７６０によって示された現在値がピークインジケータ７７０、７７２によって表現されたピーク値又は複数のピーク値ではないときでも、アクティブ状態を保つ。例えば、図７Ａでは、値インジケータ７６０は、適切なレベルの現在吸気信号値を示す。しかし、吸気ピークインジケータ７７０は、患者の吸気信号がこの吸気信号の履歴のある所定の期間内に棒グラフ７５０の最も上側のセグメントによって表された最大値に達したことを示す。同様に、呼気ピークインジケータ７７２は、長期間に亘る患者の呼気信号によって到達された最大値を示す。他の実施形態では、ピークインジケータ７７２は、棒グラフ７５０に表示された生理的信号部とは異なった色まで明るくなる。
【００４５】
ピークインジケータ７７０、７７２は、患者の呼吸信号において新しいピーク値が達成されたとき、より高いレベルまで作動するよう構成することができる。同様に、ピークインジケータ７７０、７７２は、患者の呼吸活動が下降傾向になり、以前に到達したピーク値が直近の所定の期間内に達成されなかった場合、より小さい値を示すために作動することがある。
【００４６】
ピークインジケータ７７０、７７２は、信号の履歴の中で何らかの期間に亘る患者の呼吸信号によって達成された最大値又は大きさを示すように構成することができる。一実施形態では、例えば、ピークインジケータ７７０、７７２は、過去５分間の間に患者の呼吸信号によって到達された最大音響容量を示す。一部の実施形態では、この期間は、介護人によって調整できるように構成されている。
【００４７】
図７Ｂは、図７Ａにおける例示をさらに説明するフローチャートである。ブロック７８２で、生理的監視システム（例えば、１０５）内のプロセッサ（図示せず）は、患者センサ（例えば、１２０）から生理的情報を受信する。ブロック７８４で、プロセッサは、選択時点での生理的信号の値を決定する。ブロック７８６で、プロセッサは、選択時点での生理的信号の値を所定の期間に亘る前の値と比較する。選択時点での生理的信号の値が新しいピーク値を反映する場合、プロセッサは、決定ブロック７８８から、新しいピーク値を反映するために対応するピークインジケータ７７０、７７２を作動させるブロック７９０へ進む。そうではない場合、ブロック７９２で、プロセッサは、ピークインジケータ７７０、７７２を変化させない。このプロセスは、生理的信号の個々の新しい値に対し実行することができる。
【００４８】
図７Ａに例示されるように、ピークインジケータ７７０、７７２は、棒グラフ７５０のセグメントでもよく、又は、他の部分でもよい。これらの実施形態では、ピークインジケータ７７０、７７２は、ピーク値又は大きさを特定する際に明瞭にするため値インジケータ７６０とは異なった色で表示することができる。他の実施形態では、ピークインジケータ７７０、７７２は、点滅するように構成されることがある。さらに他の実施形態では、ピークインジケータ７７０、７７２は、棒グラフの一部になるのではなく、棒グラフに隣接して位置することがあり、アイコン、矢印、又は他のグラフィカル要素を含むことがある。他の配置もまた可能であり、当業者によって認められる。
【００４９】
一部の実施形態は、付加的な型式のインジケータを含む。例えば、図８Ａは、生理的信号（例えば、呼吸信号）を表示するゴールインジケータを含む視覚的要素の略図である。棒グラフ８５０は、患者が懸命に到達しようとする呼吸又は他の生理的信号の値を表現するゴールインジケータ８７４、８７６を含む。呼吸信号の場合、この型式のゴールインジケータは、手術から回復している間に、又は、他の病状の治療のため自分の肺の訓練を必要とする患者にとって有益である可能性がある。ある特定の実施形態は、吸気ゴールインジケータ８７４と呼気ゴールインジケータ８７６とを含む。これらのゴールインジケータ８７４、８７６のうちの１つずつは、患者が自分の呼吸中に到達しようとするターゲット値を患者に知らせる視覚的な手掛かりである。
【００５０】
図８Ａでは、例えば、値インジケータ８６０が、患者の吸気フェーズが、この場合には、比較的低いこのピーク値又は大きさに達した時点を示すものと理解される場合、患者は、棒グラフから自分が吸気ゴールインジケータ８７４によって表されたターゲット値に到達するためにより深く呼吸すべきであることが分かる。このように、ゴールインジケータ８７４、８７６は、患者が、回復、試験、又は、他の理由の目的を問わずに、望ましい呼吸活動のレベルに達するように努力するのに役立つ。一部の実施形態では、ゴールインジケータ８７４、８７６は、医師若しくは看護師のような介護人、又は、患者自身によって設定され、再構成される。
【００５１】
ゴールインジケータ８７４、８７６は、ＬＥＤ、ＬＣＤ、及び／又は、アイコン、色、音、若しくは、これらの組み合わせのような棒グラフ８５０のセグメント、又は、他の部分とすることができる。このような事例では、値インジケータ８６０のため使用される色以外の色でゴールインジケータを表示することは、望ましいことがある。一部の実施形態では、ゴールインジケータ８７４、８７６は、例えば、患者が生理的信号の目標とした値を達成したとき、点滅するように構成されている。さらに別の実施形態では、ゴールインジケータ８７４、８７６は、患者が目標とするゴールに到達したときに音を発する聴覚的インジケータが付随している。ゴールインジケータを表示し、ゴールが達成されたときにシグナリングする多くの他の構成は、同様に可能である。
【００５２】
図８Ｂは、図８Ａにおける例示をさらに説明するフローチャートである。ブロック８８２で、生理的監視システム内のプロセッサ（図示せず）は、患者センサから生理的情報を受信する。ブロック８８４で、プロセッサは、選択時点での生理的信号の値を決定する。ブロック８８６で、プロセッサは、選択時点での生理的信号の値を介護人又は患者によって予め入力されたゴール値と比較する。選択時点での生理的信号の値がゴール値を満たすか、又は超える場合、プロセッサは、決定ブロック８８８から、ゴールに到達した承認を付与させるブロック８９０へ進む。この承認は、例えば、可聴音にすることができる。そうではなければ、ブロック８９２で、プロセッサは、このような承認を付与させない。このプロセスは、生理的信号の個々の新しい値に対して実行することができる。
【００５３】
一部の実施形態は、値インジケータ以外の２つ以上の型式の付加インジケータを含む。これは、生理的信号（例えば、呼吸信号）を表示する複数の型式のインジケータを含む視覚的要素の略図である図９に表されている。棒グラフ９５０は、ピークインジケータ９７０、９７２と、ゴールインジケータ９７４、９７６とを含む。棒グラフ９５０は、中間部９５２と、上側末端部９５４と、下側末端部９５６と、検出された生理的信号の変化に応答して作動するように構成された値インジケータ９６０とをさらに含む。図９では、患者の呼吸信号は、ゴールインジケータ９７４、９７６によってマークを付けられているような患者の目標とするゴールに依然として達しない、ピークインジケータ９７０、９７２によってマークを付けられたピーク値又は大きさに到達したことが分かる。このようにして、患者、又は、介護人は、患者が継続してより深く呼吸するよう努力すべきであることを認識できる。
【００５４】
さらなる型式のインジケータは、様々な実施形態にさらに組み込むことができる。本明細書に記載されているように、これらのインジケータは、例えば、棒グラフの一部として構成することができる。これらのインジケータは、棒グラフのような視覚的要素に隣接して位置している数字、文字、又は、記号でもよい。一部の実施形態では、本明細書に記載されたインジケータは、生理的信号の変化に応答してアクション可能である。例えば、前述のピークインジケータ及びゴールインジケータに加えて、棒グラフ９５０、又は、他の型式の視覚的要素（例えば、本明細書に記載された視覚的要素１５０又は何らかの他の視覚的要素）は、吸気フェーズ又は呼気フェーズ中の患者の呼吸信号の平均値を示すためにインジケータを含むことができる。棒グラフ９５０は、患者呼吸活動の比較的短期の履歴中に達成された値又は大きさピークを表現するために構成された短期ピークインジケータと、より長期間の間に達成された値又は大きさピークを表現するために構成された長期ピークインジケータとをさらに含むことができる。棒グラフ９５０、又は、他の型式の視覚的要素は、生理的信号に関連するどのような型式の情報でも観察者に伝えるために多数の他の型式のインジケータをさらに含むことができることが当業者に明らかであろう。
【００５５】
一部の実施形態は、例えば、テキスト、数字、画像、アイコン、又は、記号の形をした付加情報と一体となって視覚的要素を含む。一実施形態では、視覚的要素は、患者の呼吸数（例えば、１分間当たりの呼吸回数）及び／又は呼吸周期（呼吸１回当たりの秒数）を示す数字を含む。視覚的要素は、生理的信号に関連した値の数値表示、又は、信号品質の表示をさらに含むことができる（図１１を参照）。生理的信号に関係があるものとして、又は、介護人に多少有益であるものとして当業者によって認識されることになる他の型式の情報は、視覚的要素と一体となってさらに含むことができる。
【００５６】
一部の実施形態では、患者監視装置１１０は、スピーカ又は可聴音を生成する能力がある他の装置をさらに含む。患者監視装置１１０は、生理的信号の変化に応答して変化する音を出力するために構成することができる。例えば、患者監視装置１１０は、生理的信号の変化に応答して音量が増減する音を出力することができる。一実施形態では、音は、信号の値又は大きさが増加するのにつれて大きくなり、信号の値又は大きさが減少するのにつれて小さくなる。一部の実施形態では、音のピッチは、生理的信号の変化に応答して変化する。例えば、音のピッチは、信号の値又は大きさが増加するのにつれて増加することがあり、信号の値又は大きさが減少するのにつれて減少することがある。一部の実施形態は、生理的信号の変化に応答して時間的により接近して一体となって、又は、より一層離れて現れる「ビープ音」又は他の音を生成する。生理的監視装置１１０の一部の実施形態は、呼吸信号の異なったフェーズの非視覚的表示として、呼吸信号の吸気中に１つの音を、呼気中に異なる音を出力する。
【００５７】
一部の実施形態では、スピーカは、患者が危険又は望ましくない状況に入るときにアラームを発するようにさらに構成されている。例えば、生理的監視装置１１０は、無呼吸症の患者に発生することがあるような患者の呼吸中に一時的な停止を検出する場合、スピーカは、アラームを発することができる。スピーカは、患者の呼吸数又は呼吸の深さがある特定の閾値を超えて減少する場合、アラームを発するようにさらに構成されることがある。
【００５８】
図１０は、本明細書に記載された生理的監視装置及びケーブルと共に用いるため適したセンサアセンブリ１００１及び監視装置ケーブル１０１１を含むセンサシステム１００の実施形態を例示する。センサアセンブリ１００１は、センサ１０１５と、ケーブルアセンブリ１０１７と、コネクタ１００５とを含む。センサ１０１５は、一実施形態では、センサ部分アセンブリ１００２と、アタッチメント部分アセンブリ１００４とを含む。一実施形態のケーブルアセンブリ１０１７は、センサ１００７と患者固定具１００３とを含む。センサコネクタ部分アセンブリ１００５は、センサケーブル１００７に接続されている。
【００５９】
センサコネクタ部分アセンブリ１００５は、計器ケーブルコネクタ１００９を介して計器ケーブル１０１１に着脱式に取り付けることができる。計器ケーブル１０１１は、計器ケーブル１０１１のコネクタ１０１２を受け入れるポート１０２１と、別のケーブルを受け入れる第２のポート１０２３とを含むケーブルハブ１０２０に取り付けることができる。ハブ１０２０は、前述のスプリッタケーブルの実施例であり、したがって、デカップリング回路を含むことができる。ある特定の実施形態では、第２のポート１０２３は、光センサ（例えば、パルス・オキシメトリ・センサ）又は他のセンサに接続されているケーブルを受承することができる。さらに、ケーブルハブ１０２０は、他の実施形態では、付加ケーブルを受け入れる付加ポートを含むことができる。ハブは、生理的監視装置（図示せず）に接続するため適したコネクタ１０２４の中で終端するケーブル１０２２を含む。
【００６０】
センサコネクタ部分アセンブリ１００５及びコネクタ１００９は、センサコネクタ１００５が簡単かつ効率的にコネクタ１００９とつながれ、コネクタ１００９から取り外されることを可能にするように構成することができる。コネクタ１００５、１００９のため使用することができる接続機構を有しているコネクタの実施形態は、２００８年１０月９日付けで出願され、本明細書に参照によって全体として組み込まれる米国特許出願第１２／２４８，８５６号（以下、「８５６号出願」と称される）に記載される。例えば、センサコネクタ１００５は、コネクタ１００９上の対応する形態（図示せず）と嵌合する嵌合形態（図示せず）を含むことができる。嵌合形態は、コネクタ１００９上の凹部とスナップ取り付け式に係合する凸部を含むことができる。ある特定の実施形態では、センサコネクタ１００５は、例えば、片手の操作によって取り外すことができる。接続機構の実施例は、具体的には、例えば、８５６号出願の段落［００４２］、［００５０］、［００５１］、［００６１］から［００６８］及び［００７９］に、図８Ａ−Ｆ、図１３Ａ−Ｅ、１９Ａ−Ｆ、２３Ａ−Ｄ、及び、２４Ａ−Ｃに関連して見出すことができる。
【００６１】
センサコネクタ部分アセンブリ１００５及びコネクタ１００９は、ある特定の実施形態では、非遮蔽エリアの量を縮小し、センサと監視装置との間の電気接続の遮蔽を概ね強化することができる。このような遮蔽の仕組みの実施例は、例えば、８５６号出願において段落［００４３］から［００５３］、「００６０」に、図９Ａ−Ｃ、１１Ａ−Ｅ、１３Ａ−Ｅ、１４Ａ−Ｂ、１５Ａ−Ｃ、及び、１６Ａ−Ｅに関連して開示される。
【００６２】
一実施形態では、音響センサアセンブリ１００１は、例えば、圧電装置又は他の音響センシング装置のようなセンシング要素を含む。センシング要素は、患者によって発生された振動に応答する電圧を発生させることができ、センサは、センシング要素によって発生された電圧を処理のためのプロセッサへ送信するために回路を含むことができる。一実施形態では、音響センサアセンブリ１００１は、生体音に関連する情報を検出し、生理的監視装置に送信する回路を含む。これらの生体音は、多数の他の生理的現象に加えて、心音、呼吸音、及び／又は、消化器系音を含むことができる。音響センサ１０１５は、ある特定の実施形態では、本明細書に記載されたセンサのような生体音センサである。一部の実施形態では、生体音センサは、８８３号出願に記載されたセンサのようなセンサのうちの１つである。他の実施形態では、音響センサ１０１５は、参照によって全体として本明細書に組み込まれる米国特許第６，６６１，１６１号に記載された生体音センサのような生体音センサである。他の実施形態は、他の適当な音響センサを含む。
【００６３】
アタッチメント部分アセンブリ１００４は、第１及び第２の細長い部分１００６、１００８を含む。第１及び第２の細長い部分１００６、１００８は、患者接着部（例えば、一部の実施形態では、テープ、接着剤、吸引装置など）を含むことができる。細長い部分１００６、１００８上の接着部は、センサ部分センブリ１００２を患者の皮膚に固定するため使用することができる。第１及び／又は第２の細長い部分１００６、１００８に含まれる１つ以上の細長い部材１０１０は、患者の皮膚に接触して引張を受けるセンサ部分アセンブリ１００２に有利に付勢し、患者接着部と皮膚との間の接続への応力を低減することができる。着脱式裏材は、患者の皮膚に貼る前に接着面を保護するために患者接着部を設けることができる。
【００６４】
センサケーブル１００７は、センサ部分アセンブリ１００２内のプリント基板（「ＰＣＢ」）（図示せず）を介してセンサ部分アセンブリ１００２に電気的に連結することができる。この接触を通じて、電気信号は、マルチパラメータセンサ部分アセンブリからセンサケーブル１００７及びケーブル１０１１を介して生理的監視装置へ伝えられる。
【００６５】
様々な実施形態では、図１０に例示された構成部品の全部がセンサシステム１０００内に包含されるとは限らない。例えば、様々な実施形態では、患者固定具１００３とアタッチメント部分アセンブリ１００４とのうちの１つ以上は、含まれていない。一実施形態では、例えば、包帯又はテープがセンサ部分アセンブリ１００２を測定部位に取り付けるためにアタッチメント部分アセンブリ１００４の代わりに使用される。さらに、このような包帯又はテープは、例えば、概ね細長い円形及び長円形を含む多種多様の形状とすることができる。さらに、ケーブルハブ１０２０は、ある特定の実施形態において含まれる必要がない。例えば、種々のセンサからの多数のケーブルは、ケーブルハブ１０２０を使用することなくそのまま監視装置につなぐことができる。
【００６６】
生理的監視装置とのインターフェイスの他の実施形態を含む本明細書に記載された実施形態に適合する音響センサに関係する付加情報は、２００８年３月７日付けで出願され、“Ｓｙｓｔｅｍｓ  ａｎｄ  Ｍｅｔｈｏｄｓ  ｆｏｒ  Ｄｅｔｅｒｍｉｎｉｎｇ  ａ  Ｐｈｙｓｉｏｌｏｇｉｃａｌ  Ｃｏｎｄｉｔｉｏｎ  Ｕｓｉｎｇ  ａｎ  Ａｃｏｕｓｔｉｃ  Ｍｏｎｉｔｏｒ”と題する米国特許出願第１２／０４４，８８３号（以下、「８８３号出願」と称される）に含まれ、この米国特許出願の開示内容は、ここで、参照によって全体として組み込まれる。本明細書に記載された実施形態と共に使用できる音響センサの実施例は、前述の組み込まれた米国特許出願第１２／６４３，９３９号に開示される。
【００６７】
［鮮度インジケータ］
図１１を参照すると、呼吸分析システム１１００が示される。呼吸分析システム１１００は、患者から取得された音響信号に関係する１つ以上のパラメータを計算することができる。呼吸分析システム１１００は、パラメータの中でも、呼吸数（時にはＲＲと称される）と、呼吸信号品質（ＲＳＱ）と、呼吸数計算の鮮度とを計算することができる。有利な点として、ある特定の実施形態では、呼吸分析システム１１００は、データ、及び／又は、これらのパラメータのうちの１つ以上を反映するインジケータを出力し、それによって、患者の健康状態を評価する臨床医を支援することができる。
【００６８】
呼吸分析システム１１００は、描写された実施形態に３つの実施例モジュールを含む。これらのモジュールは、呼吸数計算器１１１０と、ＲＳＱ計算器１１２０と、鮮度計算器１１３０とを含む。これらのモジュールの１つずつは、ある特定のタスクを実行するハードウェア及び／又はソフトウェアを含むことができる。音響信号１１０２は、呼吸分析システム１１００によって受信され、これらのタスクを実行するために１つ以上のモジュールによって使用される。音響信号１１０２は、生体患者に連結された、前述のセンサのいずれかのような音響センサから取得することができる。
【００６９】
呼吸数計算器１１００は、患者の呼吸数測定量を決定するために音響信号１１０２を分析することができる。呼吸数測定量は、時間と共に変化する可能性がある。呼吸数計算器１１００は、臨床医に提示するための呼吸数測定量１１４２を出力することができる。例えば、呼吸数計算器１１００は、呼吸数測定量１１４２をディスプレイ又は（病院内のナースステーションのコンピュータのような）ネットワーク経由の別の臨床医装置に出力することができる。
【００７０】
ＲＳＱ計算器１１２０は、音響信号１１０２の品質の客観的指標を計算することができる。ＲＳＱ計算器１１２０は、例えば、音響信号１１０２が雑音によって改変される程度と、音響信号１１０２が呼吸信号の既知の波形特性に類似している程度などを定量的に決定することができる。少なくとも部分的にこの分析に基づいて、ＲＳＱ計算器１１２０は、音響信号１１０２の計算された品質を反映するＲＳＱインジケータ１１４４を出力することができる。ＲＳＱ計算器１１２０は、ＲＳＱインジケータ１１４４をディスプレイ又はネットワーク経由の別の臨床医装置に出力することができる。有利な点として、ある特定の実施形態では、ＲＳＱインジケータ１１４４は、前述の視覚的インジケータ又は要素のいずれかとして実施することができる。例えば、ＲＳＱインジケータ１１４４は、双方向棒グラフとすることができる。信号品質が変化するとき、双方向棒グラフは、これに応じて変化する可能性がある。
【００７１】
ＲＳＱインジケータ１１４４は、双方向棒グラフではなく、一方向棒グラフとすることができる。ＲＳＱインジケータ１１４４は、低ＲＳＱ又は高ＲＳＱを示すバイナリインジケータとすることもできる。ＲＳＱインジケータ１１４４は、パーセンテージなどのような数値とすることもできる。別の実施形態では、ＲＳＱインジケータ１１４４は、“Ｐｕｌｓｅ  Ｏｘｉｍｅｔｒｙ  Ｄａｔａ  Ｃｏｎｆｉｄｅｎｃｅ  Ｉｎｄｉｃａｔｏｒ”と題する２００３年１２月１８日付けで出願された米国特許第６，９９６，４２７号に記載された出現インジケータのような出現インジケータとすることができ、この米国特許の開示内容は、ここで参照によって全体として組み込まれる。本明細書に記載されたインジケータ及び／又は他の型式のインジケータのいずれかの組み合わせを使用することができる。
【００７２】
鮮度計算器１１３０は、呼吸数測定量１１４２の鮮度又は関連性を計算する。一部の状況では、呼吸数計算器１１１０及び／又はＲＳＱ計算器１１２０は、計算された呼吸数測定量１１４２が無効であるか、低品質であるか、又は測定できないことを決定することがある。無効呼吸数測定量１１４２は、例えば、（非常に高い測定量のような）生理的に可能ではない測定量とすることができる。無効測定量は、短期間のうちに急速に変化する測定量とすることもできる。無効又は他の低品質測定量が出現したときの１つの選択肢は、無効又は低品質呼吸数値を廃棄し、有効又はより高い品質値が取得されるまで、新しい測定量を表示しないことである。しかし、呼吸数値を表示しないこと（又は零を示すこと）は、患者が今でも呼吸をしている場合、臨床医を混乱させる可能性がある。
【００７３】
このようにして、低品質信号条件において無（又は零）値を表示する代わりに、呼吸数計算器１１１０は、ある特定の期間に亘って前の呼吸数測定量１１４２を継続して出力することができる。この期間は、鮮度計算器１１３０によって決定することができる。鮮度計算器１１３０は、低又は無効信号条件が呼吸数計算器１１１０又はＲＳＱ計算器１１２０によって検出されると直ぐにインクリメント（又はデクリメント）するカウンタ、タイマなどを含むことができる。鮮度計算器１１３０が、例えば、所定の閾時間値との比較によってある特定の期間の経過を決定したとき、鮮度計算器１１３０は、呼吸数計算器１１１０に零又は無呼吸数値を出力させることができる。逆に、鮮度計算器１１３０がカウンタをインクリメント（又はデクリメント）する間に、呼吸数計算器１１１０が有効又はより高品質の呼吸数測定量１１４２を生成する場合、鮮度計算器１１３０は、カウンタをリセットすることができる。
【００７４】
鮮度計算器１１３０が零又は無呼吸数値を出力する前に経過した期間は、ユーザ構成可能である。呼吸分析システム１１００は、例えば、臨床医が鮮度期間を調整することを可能にする患者監視装置のディスプレイにユーザインターフェイス制御を出力することができる。臨床医によるこの入力は、その後、鮮度計算器１１３０において更新することができる。呼吸分析システム１１００は、臨床医が鮮度タイマ入力１１０４を入力するためにユーザインターフェイス要素をディスプレイなどに提供することができる。
【００７５】
鮮度計算器１１３０は、呼吸数測定量１１４２の鮮度を反映する鮮度インジケータ１１４６を出力することができる。鮮度計算器１１３０は、鮮度インジケータ１１４６をディスプレイ又はネットワーク経由の別の臨床医装置に出力することができる。鮮度インジケータ１１４６は、例えば、鮮度計算器１１３０がカウンタをインクリメント（又はデクリメント）するときにオンになる光とすることができる。光は、カウンタがインクリメント（又はデクリメント）されるときに色を変化させることもできる。鮮度インジケータ１１４６は、棒、数字、又は、他の視覚的要素とすることもできる。鮮度インジケータ１１４６は、可聴音のような聴覚的インジケータとすることもできる。聴覚的インジケータは、カウンタがインクリメント（又はデクリメント）されるときに、強度が増加することが可能である。
【００７６】
別の実施形態では、鮮度インジケータ１１４６は、パラメータ値又は他の値インジケータの閃光バージョンとして実施することができる。例えば、パラメータのいずれの数値も鮮度の不足、又は、鮮度の減少を反映するために閃光することができる。前述の双方向表示バーは、鮮度の不足を反映するために同様に閃光することができる。パラメータ又は他の値インジケータの閃光は、定義された期間が経過するまで、速度を増加（又は減少）させることができる。この期間の経過後、零値がパラメータに対し表示できる。さらに、鮮度期間が経過したとき、アラームを始動することができる。
【００７７】
さらに別の実施形態では、鮮度インジケータ１１４６及びＲＳＱインジケータ１１４４は、例えば、以下の通り、一体として実施される。ＲＳＱインジケータ１１４４は、呼吸又は音響信号の信号品質の変化を概ね示すことができる。呼吸数測定量１１４２の鮮度は、前述の通り計算することができる。別々のインジケータを出力するのではなく、計算された鮮度は、ＲＳＱインジケータ１１４４の出力を調整するために使用できる。呼吸数測定量１１４２が、例えば、鮮度不足である場合、ＲＳＱインジケータ１１４４は、このことをより小さい値、より低いバー（又は複数のバー）などとして反映することができる。一実施形態では、ＲＳＱインジケータ１１４４は、５％、１０％、２０％、又は何らかの他のパーセンテージのようなあるパーセンテージによって下げられる。他の実施形態では、ＲＳＱインジケータ１１４４は、鮮度が低下するのにつれて、（零のような）ある最小値に向かって徐々に下がる。
【００７８】
これらの特徴のいずれの組み合わせも鮮度インジケータ１１４６、及び、その他のため使用できる。
【００７９】
図１２は、呼吸ディスプレイを有している患者監視装置１２００の実施形態を例示する。患者監視装置１２００は、前述の特徴のいずれでも含むことができる。さらに、患者監視装置１２００は、前述のディスプレイ又は他の特徴のいずれでも実施することができる。描写された実施形態では、患者監視装置１２００は、実施例呼吸波形を表示する。
【００８０】
患者監視装置１２００は、描写された実施形態において数個の生理的パラメータのパラメータインジケータを表示する。これらのパラメータインジケータの一部は、酸素飽和度インジケータ１２１０と、ヘモグロビン、灌流指数、プレチスモグラフ変動指数、及び、他のインジケータ１２２０と、光信号の信号品質を反映する出現グラフ１２２５とを含む。
【００８１】
さらに、患者監視装置１２００は、患者の呼吸数の値を反映する実施例呼吸数インジケータ１２３０を表示する。この値は、前述の呼吸数測定方法のいずれを使用しても取得することができる。有利な点として、描写された実施形態では、患者監視装置１２００は、呼吸波形１２４０をさらに含む。この呼吸波形１２４０は、患者の時間領域呼吸信号、又は、長期間に亘る呼吸信号のエンベロープを表現することができる。呼吸波形１２４０は、一部の実施形態では、双方向又は一方向とすることができる。描写された患者監視装置１２００は、双方向呼吸波形１２４０を例示する。一方向呼吸波形１２４０は、軸から単一方向（例えば、正又は負）へのエクスカーションを含むことがある。
【００８２】
呼吸波形１２４０は、実際の呼吸信号を反映することができ、患者の呼吸パターンに関して呼吸数インジケータ１２３０単独より多くの情報を臨床医に提供する。呼吸波形１２４０は、例えば、呼吸波形１２４０の中のピークの高さ及び幅と、呼吸波形１２４０の中の不規則性と、呼吸波形１２４０の中の活動のスパイクと、呼吸波形１２４０の中の概ね低い活動と、これらの何らかの組み合わせなどを観察することにより、臨床医が患者の問題を診断することを可能にすることができる。
【００８３】
本明細書のいくつかの実施形態は、双方向ディスプレイを記載するが、一方向ディスプレイが呼吸パラメータを表現するために代わりに使用することができることに注意されたい。
【００８４】
特に、「できる（ｃａｎ）」、「ありうる（ｃｏｕｌｄ）」、「してもよい（ｍｉｇｈｔ）」、「かもしれない（ｍａｙ）」、「例えば（ｅ．ｇ．）」などのような本明細書で使用される条件付き用語は、特に断らない限り、又は、使用された文脈の範囲内でそれ以外に理解されない限り、他の実施形態は含まないが、ある特定の実施形態がある特定の特徴、要素、及び／又は、状態を含むことを伝達することが一般に意図されている。このように、条件付き用語は、特徴、要素、及び／又は、状態が１つ以上の実施形態のため多少なりとも必要とされること、又は、１つ以上の実施形態が、著者入力若しくは促進の有無にかかわらず、これらの特徴、要素、及び／又は、状態が何らかの特有の実施形態に含まれるか、又は、何らかの特有の実施形態で実施されるべきであるかどうかを決定する論理を必然的に含むことを意味することが一般に意図されていない。
【００８５】
実施形態に依存して、本明細書に記載されたいずれかの方法のある特定の行為、事象、又は、機能は、異なった順序で実行でき、追加でき、併合でき、又は、すべて一緒に除外できる（必ずしも記載されたすべての行為又は事象がこの方法の実施のため必要ということではない）。さらに、ある特定の実施形態では、行為又は事象は、順次にではなく、例えば、マルチスレッド処理、割り込み処理、又は、マルチプロセッサ若しくはプロセッサコアを通じて、並行して実行できる。
【００８６】
本明細書に開示された実施形態と関連して記載された様々な例示的な論理ブロック、モジュール、回路、及び、アルゴリズムステップは、電子ハードウェア、コンピュータソフトウェア、又は、両者の組み合わせとして実施できる。ハードウェアとソフトウェアとのこの互換性を明瞭に説明するため、様々な例示的なコンポーネント、ブロック、モジュール、回路、及び、ステップが概ねこれらの機能性に関して前述されている。このような機能性がハードウェアとして実施されるか、又は、ソフトウェアとして実施されるかは、特有の用途と、システム全体に課された設計制約とに依存する。前述の機能性は、特有の用途毎に様々な方法で実施できるが、このような実施決定は、開示内容の範囲からの逸脱をもたらすものとして解釈されるべきではない。
【００８７】
本明細書に開示された実施形態と関連して記載された様々な例示的な論理ブロック、モジュール、及び、回路は、汎用プロセッサ、デジタル信号プロセッサ（ＤＳＰ）、特定用途向け集積回路（ＡＳＩＣ），フィールド・プログラマブル・ゲート・アレイ（ＦＰＧＡ）若しくは他のプログラマブル論理装置、ディスクリートゲート若しくはトランジスタ論理、ディスクリート・ハードウェア・コンポーネント、又は、本明細書に記載された機能を実行するために設計されたこれらのいずれかの組み合わせを用いて実施又は実行できる。汎用プロセッサは、マイクロプロセッサとすることができるが、代替案では、プロセッサは、いずれの従来型のプロセッサ、コントローラ、マイクロコントローラ、又は、ステートマシンとすることもできる。プロセッサは、コンピューティング装置の組み合わせ、例えば、ＤＳＰ及びマイクロプロセッサの組み合わせ、複数のマイクロプロセッサ、ＤＳＰコアと併せた１つ以上のマイクロプロセッサ、又は、他のこのような構成として実施することもできる。
【００８８】
本明細書に開示された実施形態と関連して記載された方法及びアルゴリズムのブロックは、そのままハードウェアで、プロセッサによって実行されるソフトウェアモジュールで、又は、両者の組み合わせで具現化できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は、従来から知られている他の形式のコンピュータ読み取り可能記憶媒体に存在することができる。典型的な記憶媒体は、プロセッサが記憶媒体から情報を読み取り、記憶媒体に情報を書き込むことができるように、プロセッサに連結されている。代替案では、記憶媒体は、プロセッサに一体化することができる。プロセッサ及び記憶媒体は、ＡＳＩＣに存在することができる。ＡＳＩＣは、ユーザ端末に存在することができる。代替案では、プロセッサ及び記憶媒体は、ユーザ端末内にディスクリートコンポーネントとして存在することができる。
【００８９】
前述の詳細な説明は、様々な実施形態に適用されるものとして新規性のある特徴を示し、記載し、指摘しているが、例示された装置又はアルゴリズムの形式及び細部における様々な省略、置換、及び、変更は、開示内容の趣旨を逸脱することなく行えることが分かる。認識できるように、本明細書に記載された発明のある特定の実施形態は、一部の特徴が他の特徴と別個に使用又は実施できるので、本明細書に記載された特徴及び利点のすべてを提供するとは限らない形式の範囲内で具現化できる。本明細書に記載されたある特定の発明の範囲は、上記説明ではなく、請求項によって示される。請求項の均等物の意味及び範囲に入るすべての変更は、請求項の範囲に包含されるべきである。
【図１】
2013508030.tif 000003
【図２】
2013508030.tif 000004
【図３】
2013508030.tif 000005
【図４Ａ】
2013508030.tif 000006
【図４Ｂ】
2013508030.tif 000007
【図５Ａ】
2013508030.tif 000008
【図５Ｂ】
2013508030.tif 000009
【図６】
2013508030.tif 000010
【図７Ａ】
2013508030.tif 000011
【図７Ｂ】
2013508030.tif 000012
【図８Ａ】
2013508030.tif 000013
【図８Ｂ】
2013508030.tif 000014
【図９】
2013508030.tif 000015
【図１０】
2013508030.tif 000016
【図１１】
2013508030.tif 000017
【図１２】
2013508030.tif 000018
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
プロセッサによって、
患者につながれた生理的センサから取得された生理的情報を反映する生理的パラメータの値を患者監視装置のディスプレイに提供することと、
前記生理的パラメータの値の鮮度と関連付けられたカウンタを調整することを含み、前記鮮度を計算することと、
前記計算された鮮度に少なくとも部分的に基づいて前記パラメータの値と関連付けられた出力を調整することと、
を含み、
前記出力を調整することは、
前記カウンタが所定の値に到達するまで、前記パラメータの値と関連付けられた前記出力を凍結することと、
前記生理的パラメータの有効測定量が取得されるのに応答して前記パラメータの値と関連付けられた前記出力の凍結を解除することと、
を含む、生理的情報を表示する方法。
【請求項２】
前記生理的パラメータの値の鮮度を計算することは、前記生理的パラメータの有効値が取得されたときから経過した期間を決定することを含む、請求項１に記載の方法。
【請求項３】
前記出力は、前記生理的センサから取得された前記生理的情報と関連付けられた信号品質インジケータを含む、請求項１又は２に記載の方法。
【請求項４】
前記出力を調整することは、前記信号品質インジケータの削減された値を前記ディスプレイに出力することを含む、請求項３に記載の方法。
【請求項５】
前記計算された鮮度の減少に応答して前記信号品質インジケータの値を削減することをさらに含む、請求項４に記載の方法。
【請求項６】
前記信号品質インジケータの減少の量が前記計算された鮮度の減少の量に対応する、請求項５に記載の方法。
【請求項７】
前記出力を調整することは、前記信号品質インジケータを閃光することを含む、請求項３に記載の方法。
【請求項８】
前記出力を調整することは、前記生理的パラメータの値が有効測定量を反映したときから経過した期間に応答した量で前記信号品質インジケータの値を削減することを含む、請求項３〜７のいずれか１項に記載の方法。
【請求項９】
前記生理的パラメータの値に所定の鮮度期間経過に応答して最小値を設定することをさらに含む、請求項１〜８のいずれか１項に記載の方法。
【請求項１０】
臨床医が前記所定の鮮度期間を調整するために前記患者監視装置のディスプレイに機能性を提供することをさらに含む、請求項９に記載の方法。
【請求項１１】
生理的情報を表示するシステムであって、前記システムは、
１台以上のプロセッサを含む呼吸分析システムを含み、
前記呼吸分析システムは、少なくとも、
患者につながれた生理的センサから取得された生理的情報を反映する生理的パラメータの値を患者監視装置のディスプレイへ提供し、
前記生理的パラメータの値が有効であるか、又は前記値が低品質であるかどうかを決定し、
前記生理的パラメータの値が無効であるか、又は低品質であるとの決定に応答して前記生理的パラメータの値と関連付けられた出力を凍結し、
前記凍結に応答して、前記生理的パラメータの値の鮮度を計算し、
前記計算された鮮度に少なくとも部分的に基づいて前記パラメータの値と関連付けられた前記出力を調整するように構成されている、システム。
【請求項１２】
前記出力は、前記生理的パラメータの値を含む、請求項１１に記載のシステム。
【請求項１３】
前記生理的パラメータは、呼吸パラメータを含む、請求項１１又は１２に記載のシステム。
【請求項１４】
前記生理的パラメータは、呼吸数を含む、請求項１３に記載のシステム。
【国際調査報告】
2013508030.tif 000019
2013508030.tif 000020
2013508030.tif 000021
2013508030.tif 000022